【手続補正書】
【提出日】平成28年4月4日(2016.4.4)
【手続補正１】
【補正対象書類名】特許請求の範囲
【補正対象項目名】全文
【補正方法】変更
【補正の内容】
【特許請求の範囲】
【請求項１】
モールド内にある欠陥品の容器を取り外さなければならないときに、ＩＳマシンのブロー側にある少なくとも１つのセクション内にあるブローヘッドおよびブローモールドの動作を制御するためのシステムにおいて、前記ＩＳマシンが、ブランク側パイロット空気供給装置を備えるブランク側と、前記ブローヘッドおよび前記ブローモールドのうちの一方に結合された動作バルブおよびパイロットバルブを有するＥＰＶＢとを含む、システムであって、
前記ＩＳマシンの前記ブロー側に設置され、前記ＥＰＶＢと前記ブランク側のパイロット空気供給装置とに結合されている、停止弁と、
前記停止弁を前記パイロットバルブと前記ブランク側のパイロット空気供給装置とに結合する配管網と
を備え、
前記停止弁および前記配管網が、前記欠陥品の容器が取り外されるまで前記ＩＳマシンの前記ブランク側から前記ブロー側のモールドおよびブローヘッドが作動されるのを防止するように構成されており、
ブロー側のモールドおよびブローヘッドの動作を防止するための前記停止弁の起動は前記パイロットバルブへの前記パイロット空気の供給を切断する、システム。
【請求項２】
前記ＩＳマシンの前記ブランク側のパイロット空気供給装置が前記配管網を介して前記停止弁に直接に接続され、次いで前記ＥＰＶＢに結合される、請求項１に記載の、ＩＳマシンのブロー側にある少なくとも１つのセクション内にあるブローヘッドおよびブローモールドの動作を制御するためのシステム。
【請求項３】
前記配管網と、前記少なくとも１つのセクションのＥＰＶＢとに結合された１つの追加の停止弁をさらに含み、１つの停止弁が前記ブローヘッドに結合され、１つの停止弁が前記ブローモールドに結合され、各それぞれの停止弁が、前記ブローヘッドをＵＰ位置に、また前記ブローモールドをＯＰＥＮ位置に設定するように構成される、請求項１に記載の、ＩＳマシンのブロー側にある少なくとも１つのセクション内にあるブローヘッドおよびブローモールドの動作を制御するためのシステム。
【請求項４】
前記配管網が、前記ＩＳマシンの前記ブロー側にある前記停止弁に結合されたブロー側のマニホルドを用いずに構成される、請求項１に記載の、ＩＳマシンのブロー側にある少なくとも１つのセクション内にあるブローヘッドおよびブローモールドの動作を制御するためのシステム。
【請求項５】
前記ＩＳマシンの前記ブランク側のパイロット空気供給装置が前記配管網を介して各停止弁に直接に接続される、請求項４に記載の、ＩＳマシンのブロー側にある少なくとも１つのセクション内にあるブローヘッドおよびブローモールドの動作を制御するためのシステム。
【請求項６】
前記停止弁および前記配管網が、前記欠陥品の容器が取り外されるまで前記ＩＳマシンが手動で作動されるのを防止するように構成される、請求項１に記載の、ＩＳマシンのブロー側にある少なくとも１つのセクション内にあるブローヘッドおよびブローモールドの動作を制御するためのシステム。
【請求項７】
前記ＩＳマシンの少なくとも１つの追加のセクションにおいて前記ＩＳマシンの前記ブランク側から前記ブロー側のモールドおよびブローヘッドが作動されるのを防止するように構成される停止弁および配管網をさらに含む、請求項１に記載の、ＩＳマシンのブロー側にある少なくとも１つのセクション内にあるブローヘッドおよびブローモールドの動作を制御するためのシステム。
【請求項８】
モールド内にある欠陥品の容器を取り外さなければならない場合にＩＳマシンを制御するための方法において、前記ＩＳマシンが、ブロー側とブランク側とを有する少なくとも１つのセクションを含み、前記ＩＳマシンが、選択的なブローヘッドおよびブローモールドの動作を制御するためのＥＰＶＢを含む、方法であって、
各々が前記ブローヘッドおよび前記ブローモールドに結合される、ブロー側の動作バルブと、ブロー側の低圧マニホルドと、ブロー側の排出マニホルドとを取り外すステップと、
前記ＩＳマシン上に配管網を設置するステップであって、前記配管網が、ブロー側のＰスイッチバルブ、前記ＥＰＶＢ、およびブランク側のパイロット空気供給装置と流体連通しており、前記配管網および前記ブロー側のＰスイッチバルブが、前記欠陥品の容器が取り外されるまで前記ＩＳマシンの前記ブランク側から前記ブローモールドおよび前記ブローヘッドが作動されるのを防止するように構成されている、ステップと
を含む方法。
【請求項９】
前記配管網を介して前記ＩＳマシンの前記ブランク側のパイロット空気供給装置を前記Ｐスイッチバルブに直接に接続し、次いで前記ＥＰＶＢに結合するステップを含む、請求項８に記載の、モールド内にある欠陥品の容器を取り外さなければならない場合にＩＳマシンを制御するための方法。
【請求項１０】
１つの追加のＰスイッチバルブを前記少なくとも１つのセクションの前記配管網および前記ＥＰＶＢに結合するステップをさらに含み、１つのＰスイッチバルブが前記ブローモールドに結合され、１つのＰスイッチバルブが前記ブローヘッドに結合され、各それぞれのＰスイッチバルブが、前記ブローモールドをＯＰＥＮ位置に、また前記ブローヘッドをＵＰ位置に設定するように構成される、請求項８に記載の、モールド内にある欠陥品の容器を取り外さなければならない場合にＩＳマシンを制御するための方法。
【請求項１１】
前記ＩＳマシンからブロー側のマニホルドを取り外すステップをさらに含む、請求項８に記載の、モールド内にある欠陥品の容器を取り外さなければならない場合にＩＳマシンを制御するための方法。
【請求項１２】
前記配管網を介して前記ＩＳマシンの前記ブランク側のパイロット空気供給装置を各Ｐスイッチバルブに直接に接続するステップを含む、請求項１１に記載の、モールド内にある欠陥品の容器を取り外さなければならない場合にＩＳマシンを制御するための方法。
【請求項１３】
前記配管網および前記Ｐスイッチバルブが、前記欠陥品の容器が取り外されるまで前記ＩＳマシンが手動で作動されるのを防止するように構成される、請求項８に記載の、モールド内にある欠陥品の容器を取り外さなければならない場合にＩＳマシンを制御するための方法。
【請求項１４】
前記ＩＳマシンの前記ブランク側から前記ブローモールドおよび前記ブローヘッドが作動されるのを防止するように、前記ＩＳマシンの少なくとも１つのセクションを構成するステップをさらに含む、請求項８に記載の、モールド内にある欠陥品の容器を取り外さなければならない場合にＩＳマシンを制御するための方法。
【請求項１５】
ＩＳマシンのブロー側にある少なくとも１つのセクション内にあるブローヘッドおよびブローモールドの動作を制御するように構成されているシステムにおいて、
ブランク側パイロット空気供給装置を備えるブランク側と、
電空式バルブブロックと、
ブローヘッドと
ブランク側パイロット空気供給装置と電空式バルブブロックとの間の配管と、
前記ＩＳマシンの前記ブロー側に設置され、空気の流れを制御するように構成されている停止弁と、
を有し、
前記停止弁の動作が、前記電空式バルブブロックへのパイロット空気の供給を停止させるように構成されていて、前記ブランク側から前記セクションの空気圧機能を使用不可能にする、システム。
【請求項１６】
前記停止弁は、前記ブランク側からのオーバーライドを防止するように構成されている、請求項１５に記載のシステム。